(57)【特許請求の範囲】
【請求項１】
携帯電子機器の電子アクセサリのための充電装置であって、
シガレットライター電力ポートへ第１の方向で挿入される第１の端部を有するプラグ本体と、前記プラグ本体は、前記第１の方向と直交する第２の方向には調整可能でなく、
連続した電線を介して直接に前記携帯電子機器を充電するために、前記携帯電子機器へ電力を提供する、プラグ本体内の導体の第１のセットと、
少なくとも部分的に前記プラグ本体内に配置されたアクセサリ充電ポートと、該アクセサリ充電ポートは、前記電子アクセサリが充電のために該アクセサリ充電ポートに挿入された場合に部分的に取り囲むことにより機械的に該電子アクセサリを前記第１の方向に受け入れ、
少なくとも部分的に前記アクセサリ充電ポート内に配置され、前記電子アクセサリが充電のために前記アクセサリ充電ポートに挿入されているときに前記電子アクセサリへ電力を提供する充電ピンの第１のセットと、を備え、
前記プラグ本体は、前記シガレットライター電力ポートに出現する第１の電圧レベルを前記電子アクセサリの充電に適した第２の電圧レベルに少なくとも適応させる第１の調整回路と、前記シガレットライター電力ポートに出現する前記第１の電圧レベルを前記携帯電子機器の充電に適した第３の電圧レベルに少なくとも適応させる第２の調整回路とを備え、前記第２の電圧レベルは前記第３の電圧レベルと異なり、前記第２および第３の電圧レベルはグランド電圧レベルと異なる、ことを特徴とする充電装置。
【請求項２】
前記電子アクセサリは、第１の電気信号を第１の可聴音へ変換する第１の変換器を少なくとも有するヘッドセットであることを特徴とする請求項１に記載の充電装置。
【請求項３】
前記電子アクセサリは、さらに、第２の可聴音を第２の電気信号に変換する第２の変換器をさらに備えることを特徴とする請求項２に記載の充電装置。
【請求項４】
前記携帯電子機器は携帯電話であることを特徴とする請求項３に記載の充電装置。
【請求項５】
前記第１の調整回路は、前記電子アクセサリがフルに充電された後にトリクル充電を提供し、前記トリクル充電では、前記電子アクセサリが完全に放電されている場合に前記電子アクセサリを充電するのに用いられる充電電流よりも低いトリクル電流が用いられる、ことを特徴とする請求項１に記載の充電装置。
【発明の詳細な説明】
【背景技術】
【０００１】
携帯電話のような携帯電子機器は、無線ヘッドセットのような着脱可能なもしくは無線接続される電子アクセサリとともに用いられ得る。そのような電子アクセサリは、一般には、通常の動作のための十分な電力を持たせるために充電する必要がある。図１Ａ〜Ｃは無線ヘッドセットを充電するための一般的な構成を示す。
【０００２】
図１Ａは、充電器１１１を介してヘッドセット１１２を充電するための一般的な構成の例を示す。充電器１１１は、例えば、ヘッドセット１１２に差し込まれるコネクタ１１４、壁面のコンセント（或いは、壁面のコンセントに接続された延長ケーブルのコンセント）に差し込まれるＡＣアダプタ１１８、及びコネクタ１１４とＡＣアダプタ１１８を接続するケーブル１１６とを含む。
【０００３】
そのような構成においては、例えばヘッドセット１１２のユーザが自動車に乗っていてコンセントが近くにない場合や、ユーザが充電器１１１を持ち歩いていない場合には、ヘッドセット１１２を充電することはできない。更に、ある壁面のコンセントでヘッドセット１１２を充電した後、ヘッドセット１１２のユーザはそのコンセントの場所へ戻り、ヘッドセット１１２と充電器１１１を回収しなければならない。従って、そのような構成は、非常に不便であり、柔軟性に乏しく、可動性の無いものである。更にまた、ＡＣアダプタ１１８はかさばり、ケーブル１１６は長くからまりやすい。ヘッドセット１１２と組み合わせて動作する携帯電話のための別の充電器を持ち運び、取り扱うことに加えて、そのような充電器１１１を持ち運び、取り扱うということは、ユーザにとって不便である。
【０００４】
図１Ｂは、充電器１２１とクレードル（cradle）１２０を介してヘッドセット１２２を充電する、一般的な構成の他の例を示す図である。充電器１２１は、例えば、クレードル１２０に差し込まれるコネクタ１２４と、壁面のコンセント（或いは壁面のコンセントに接続された延長ケーブルのコンセント）に差し込まれるＡＣアダプタ１２８と、コネクタ１２４とＡＣアダプタ１２８とを接続するケーブル１２６とを含む。クレードル１２０は、例えば、コネクタ１２４を受容するポートと、ヘッドセット１２２に電力を伝送するための導電性のコンタクトと、ヘッドセット１２２がクレードル１２０に配置されている間、ヘッドセット１２２を機械的に支持する適切な構造のコンポーネントとを含む。
【０００５】
このような構成は、チャージしている間、ヘッドセット１２２に対して機械的な支持と保護を提供する。しかしながら、そのような構成においても、ヘッドセット１２２の充電場所は壁面のコンセントの近くに制限される。更に、ユーザがヘッドセット１２２を外出先で充電しようとした場合に、ユーザが持ち運び、取り扱わなければならないクレードル１２０はもう一つのかさばるコンポーネントとなってしまう。
【０００６】
図１Ｃは、一般的な構成の更に別の例であり、ヘッドセット１３２をＵＳＢケーブル１３１を介してコンピュータ１４０によって充電する構成を示す。ＵＳＢケーブル１３１は、例えば、コンピュータ１４０のＵＳＢポート１４２に差し込まれるＵＳＢコネクタ１３８と、ヘッドセット１３２に差し込まれるコネクタ１３２とを含む。コンピュータ１４０は、ヘッドセット１３２と接続されると、まずヘッドセット１３２との間にホスト−クライアント関係を確立し、その後、ヘッドセット１３２に電力を伝送する。そのようなＵＳＢホスト／クライアントペアリングでは、一般にＵＳＢホストとＵＳＢクライアントが必要であり、図１Ｃの例では、コンピュータ１４０がＵＳＢホストの機能を実行し、ヘッドセット１３２がＵＳＢクライアントの機能を実行する。
【０００７】
そのような構成においては、コンピュータ１４０のような利用可能なＵＳＢホストデバイスが近くにないと、ヘッドセット１３２を充電することはできない。更に、コンピュータ１４０のようなＵＳＢホストデバイスは、ヘッドセット１３２とホスト−クライアント関係を確立するために、電源オンされる必要があり、ヘッドセット１３２のユーザはＵＳＢホストデバイスが立ちあがるまでのかなりの時間を待つことが要求される。更に、可搬型ではなくユーザにより持ち運びされないＵＳＢホストデバイスでヘッドセット１３２を充電すると、ユーザはヘッドセット１３２を回収するためにそのＵＳＢホストデバイスのところへ戻らなければならない。利用可能なＵＳＢホストがない場合、図１Ｃに例示したような、他のデバイスからの充電においてＵＳＢクライアントとして機能することが想定されたヘッドセット１３２を充電することはできない。よって、このような構成は非常に不便である。
【発明の概要】
【課題を解決するための手段】
【０００８】
本発明は、実施形態において、携帯電子機器の電子アクセサリのための充電装置に関する。本装置は、携帯電子機器の電力ポートおよびデータポートの少なくとも一つと接続されるドッキングステーションを含む。ドッキングステーションは、携帯電子機器の電力ポートとデータポートの少なくとも一つのポートのピンと電気的に結合されるドッキングステーションピンの第一のセットを有する第１のドッキングステーションポートを含む。また、ドッキングステーションは、電子アクセサリを充電のためにドッキングステーションに接続したときに、その電子アクセサリに対する機械的なサポートを提供する収納部（recess portion）を持つアクセサリ充電ポートを含む。更に、ドッキングステーションは、電子アクセサリに配置されたピンと電気的に結合するドッキングステーションピンの第二のセットを有する。ここで、電子アクセサリは、第一及び第二のドッキングステーションピンのセットを通じて携帯電子機器により供給される電力でもって充電される。
【０００９】
別の実施形態において、本発明は携帯電子機器の電子アクセサリのための充電装置に関連する。その構成は、シガレットライターのパワーポートに差込が可能な第一の端部を有するプラグ本体を含む。さらに、その構成は、携帯電子機器を充電するために携帯電子機器に電力を提供するコンダクタの第一のセットを含む。また、その構成は、プラグ本体内の少なくとも部分に配置されたアクセサリ充電ポートを含む。アクセサリ充電ポートは、電子アクセサリが充電のために差し込まれた場合に、その電子アクセサリを機械的に受容するようになっている。加えて、その構成は、電子アクセサリが充電のためにアクセサリ充電ポートに差し込まれた場合に、その電子アクセサリに電力を提供するために、アクセサリ充電ポート内の少なくとも一部に配置された充電ピンの第１のセットを含む。
【００１０】
別の実施形態において、本発明は、第一のスピーカと、第一のマイクロフォンと、携帯電話バッテリとを有する携帯電話を含む携帯電話システムに関連する。また、携帯電話システムは、少なくとも第二のスピーカと、第二のマイクロフォンとヘッドセットバッテリとを備える着脱可能なヘッドセットを含む。また、さらに、携帯電話システムは、携帯電話の電力ポートおよびデータポートの少なくとも一つと接続され得る着脱可能なドッキングステーションを含む。ドッキングステーションは、携帯電話の電力ポートとデータポートの少なくとも一つのポートのピンと電気的に結合するためのドッキングステーションピンの第一のセットを有する第一のドッキングステーションポートを含む。また、ドッキングステーションは、ヘッドセットがドッキングステーションと充電のために接続された場合にヘッドセットに対して機械的なサポートを提供する収納部を有するアクセサリ充電ポートを含む。ドッキングステーションはさらに、ヘッドセットに配されたピンと電気的に結合されるよう構成されたドッキングステーションピンの第二のセットを含む。ヘッドセットは、ドッキングステーションピンの第一のセットを通じて携帯電話によって提供された電力により充電される。ドッキングステーションは携帯電話と着脱可能に接続されるよう構成され、着脱可能なヘッドセットはドッキングステーションと着脱可能に接続される。
【００１１】
本発明のこれらおよび他の特徴は、以下の本発明の詳細な説明において、そして以下の図面と関連して、より詳細に説明される。
【図面の簡単な説明】
【００１２】
本発明は、添付図面の各図において、例示により説明されており、限定を加えるものではない。また、各図において同様の参照番号は類似の要素を示す。
【図１Ａ】、
【図１Ｂ】、
【図１Ｃ】無線ヘッドセットを充電するための一般的な充電装置の構成を示す図である。
【図２】本発明の１つ以上の実施形態による、無線ヘッドセットを充電するための充電装置を示す図である。
【図３】本発明の１つ以上の実施形態による、携帯電話からの電力で無線ヘッドセットを充電する充電装置のブロック図である。
【図４】本発明の１つ以上の実施形態による、携帯電話からの電力で無線ヘッドセットを充電する充電装置のブロック図である。
【図５】本発明の１つ以上の実施形態による、無線ヘッドセットを充電するドッキングステーションの概略を示す図である。
【図６】本発明の１つ以上の実施形態による、無線ヘッドセットを充電するシガレットライター充電器を示す図である。
【発明を実施するための形態】
【００１３】
以下、添付の図面に例示される本発明のいくつかの実施形態を参照して、本発明を詳細に説明する。以下の説明において、本発明の全体が理解されるように、いくつもの特定の詳細について記載されている。しかしながら、これらの特定の詳細のいくつかあるいはすべてを用いずに本発明を実施できるであろうことは当業者には明らかである。他の事例において、不必要に本発明を不明瞭にしないために、周知の処理ステップ及び／又は構成については詳細な説明を行っていない。
【００１４】
本発明の一つ以上の実施形態は、電子アクセサリを充電するための充電装置に関連する。実施形態は、電子アクセサリを接続するドッキングステーション（又は、中継機器）と携帯電子機器とを含む。この構成により、電子アクセサリはドッキングステーションを介して携帯電子機器から電力を受け取ることができる。実施形態において、ドッキングステーションは、携帯電子アクセサリによって受け取られる電力を調整し、制御する電子回路を含む。
【００１５】
さらに、実施形態において、ドッキングステーションは、電子アクセサリに対する機械的なサポートと電子アクセサリの格納を提供する収納部を含む。このため、電子アクセサリは潜在的なダメージ（potential damage）から保護され、また、利便性のために電子デバイスとともに配置される。
【００１６】
別の実施形態では、電子アクセサリと携帯電子機器の両方を電源に接続する充電器を含む。したがって、充電器は、電子アクセサリと電子機器の両方を同時に充電することができる。実施形態において、充電電力は、自動車のシガレットライターの電力ポートから取り出される。
【００１７】
さらに、実施形態において、充電器は、電子アクセサリへの機械的なサポートと電子アクセサリの格納とを提供する収納部を含む。
【００１８】
実施形態において、電子アクセサリは無線ヘッドセットであり、携帯電子機器は携帯電話のような携帯通信機器を表す。
【００１９】
本発明の特徴及び利点は、以下の図及び説明を参照することによりよりよく理解され得る。
【００２０】
図２は、本発明による一つ以上の実施形態にかかる、無線ヘッドセット２２０を充電する充電装置を示す図である。無線ヘッドセット２２０は、通常、携帯電話２００により表される携帯電子機器と併せて用いられる電子アクセサリである。無線ヘッドセット２２０は、可聴音と電子信号の間の変換を行うための一つ以上の変換器を含む。たとえば、無線ヘッドセットはマイクロフォン及び／又はイヤホンを含む。
【００２１】
図２に示されるように、充電装置はドッキングステーション２１０を含む。ドッキングステーション２１０は、携帯電話２００と接続されるように構成される。図２の例において、ドッキングステーション２１０は、携帯電話２００の端部のフォームファクタまたは形状に適合するように構成されている。実施形態において、ドッキングステーション２１０は、携帯電話２００の一つの端部に装着されるように構成されている。実施形態において、ドッキングステーション２１０は、携帯電話２００のインターフェース２０２に電気的に結合されるドッキングステーションポート（図２の視線方向からは見えない）を含む。これに代えて、又は、これに加えて、ドッキングステーション２１０は、携帯電話２００にドッキングステーション２１０を取り外し可能に固定するラッチ機構や、インターフェース２０２と結合する短いケーブルを含んでもよい。インターフェース２０２を通じて、ドッキングステーションは、携帯電話２００のバッテリ及び／又は充電回路から電力を受け取ることができる。
【００２２】
さらに、図２に示されるように、ドッキングステーション２１０は、無線ヘッドセット２２０の少なくとも一部分を捕捉し機械的にサポートする収納部２１８を含む。収納部２１８は、無線ヘッドセット２２０に対して保護や便利な格納を提供することもでき、それにより、無線ヘッドセットを利用する場合の従来の格納及び保護に関わる課題を解決する。
【００２３】
たとえば、一般に華奢で壊れやすい無線ヘッドセットは、典型的には紛失やダメージの危険性にさらすような方法で配置される。特に、ヘッドセットのユーザは無線ヘッドセットを耳に装着したり、首紐（lanyard）を用いて胸にぶら下げたり、あるいはポケット又は財布に無線ヘッドセットを入れたりする。その結果、無線ヘッドセットは、耳やポケットから落ちたり、ユーザの胸部の正面にある机や財布内の鍵といったような、硬い物とぶつかったりしやすい。さらに、対面による会話を行っている最中に無線ヘッドセットを装着することは無作法であろう。収納部２１８を用いて無線ヘッドセット２２０を格納することにより、ユーザは、格納及び保護の課題を回避することができる。
【００２４】
ドッキングステーション２１０は、収納部２１８の内部に、無線ヘッドセット２２０に設けられたピン２２３と電気的に結合するピン２１３（導電性コンタクト）を含む。無線ヘッドセット２２０が収納部２１８に差し込まれると、ドッキングステーション２１０は携帯電話２００から電力を受け取り、その電力をピン２１３，２２３を介して無線ヘッドセット２２０に送り、それによって無線ヘッドセット２２０を充電する。これに代えてあるいは加えて、ドッキングステーション２１０とヘッドセット２２０との間の電力の結合は、たとえば電磁結合のように、導電性を有するピンの機械的な接触を用いない充電手法を用いて達成されてもよい。
【００２５】
本発明の一つ以上の実施形態によればドッキングステーション２１０が携帯電話２００と結合され、無線ヘッドセット２２０がドッキングステーション２１０に差し込まれた場合、携帯電話２００と無線ヘッドセット２２０との間のペアリング関係が、マニュアルによる構築操作無しに、自動的に確立される。
【００２６】
図３は、本発明の一つ以上の実施形態に従った、携帯電話３００からの電力で無線ヘッドセット３２０を充電するための充電装置の、簡易ブロック図である。携帯電話３００は電力ポート３０２とデータポート３０４を含む。電力ポート３０２が充電装置において用いられる。また、充電装置はドッキングステーション３１０を含む。ドッキングステーション３１０は、携帯電話３００からの電力を受け取るための、電力ポート３０２のピンと電気的に結合するピン（あるいは、導電性コンタクト）を含むドッキングステーションポート３１２を含む。典型的に、携帯電話の電力ポートは入力を受け取るのみで、出力を提供しない。これに対し、本発明の一つ以上の実施形態によれば、電力ポート３０２は携帯電話３００のバッテリーからのあるいは携帯電話内の充電回路からの出力を提供できる。本発明の一つ以上のそのような実施形態によれば、ドッキングステーション３１０はさらに、携帯電話内のバッテリーからの電力が電力ポート３０２の少なくとも一つのピンに出現する状態へ携帯電話３００を移行させる（たとえば、データポート３０４のデータピンあるいは電力ポート３０２の電力ピンを介して信号を送ることにより）電子回路をさらに有する。
【００２７】
ドッキングステーション３１０は、さらに、アクセサリ充電ポート３１６を含む。アクセサリ充電ポート３１６は、携帯電話３００から無線ヘッドセット３２０へ電力を送るための、無線ヘッドセット３２０に配置されたピンと電気的に結合するピンを含む。これにより、無線ヘッドセット３２０は、ドッキングステーション３１０を介して携帯電話３００からの電力でもって充電がなされる。
【００２８】
図４は、本発明の一つ以上の実施形態に従った、携帯電話４００からの電力で無線ヘッドセット４２０を充電する充電装置のブロック図である。携帯電話４００は電力ポート４０２とデータポート４０４とを含む。データポート４０４は、充電用の構成としても用いられる。充電装置は、ドッキングステーション４１０を含む。ドッキングステーション４１０は、携帯電話４００からの電力を受け取るためにデータポート４０４のピンと電気的に結合するドッキングステーションピン４１２の第一のセットを含む。本発明の一つ以上の実施形態によれば、ドッキングステーション４１０はさらに、（たとえば、電力ポート４０２及び／又はデータポート４０４の一つ以上のピンに提供される信号を介して）携帯電話４００内のバッテリーからの電力がデータポート４０４の少なくとも一つのピンに出現する状態へ携帯電話４００を移行させる電子回路をさらに有する。
【００２９】
ドッキングステーション４１０は、さらに、携帯電話４００からの電力を無線ヘッドセット４２０へ送るための、無線ヘッドセット４２０に設けられたピンと電気的に結合するドッキングステーションピン４１６の第二のセットを含む。これにより、無線ヘッドセット４２０はドッキングステーション４１０を介して携帯電話４００からの電力でもって充電される。
【００３０】
図５は、本発明の一つ以上の実施形態による、無線ヘッドセットを充電するためのドッキングステーション５１０を表す図である。ドッキングステーション５１０は、無線ヘッドセットと電気的に結合するアクセサリインターフェース５１６と、携帯電話と電気的に結合するための携帯電話インターフェース５１２とを含む。ドッキングステーション５１０は、アクセサリインターフェース５１６と携帯電話インターフェース５１２との間に、一組のロジックに基づいて電力の調整とアクションを実行する電子回路５１８を有する。
【００３１】
電力調整は、充電調節（charge regulation）、電圧変換、スタティックレゾリューション、及び電流制限の一つ以上を含むことができる。無線ヘッドセットのフル充電が完了した後もしくはほぼ完了した後に、無線ヘッドセットにトリクル充電を行うトリクル充電（trickle charge）機能が提供されてもよい。トリクル充電は、無線ヘッドセットの放電が完了した場合あるいはほぼ完了した場合に無線ヘッドセットを充電するのに用いられる充電電流よりも低い微弱な電流（trickle current）を用いるものである。
【００３２】
ロジックは、無線ヘッドセットに対する充電の開始や停止の状態を管理するルールを含むことができる。たとえば、電子回路５１８は、携帯電話のバッテリーの充電レベルを監視し、携帯電話のバッテリーの充電レベルが所定の閾値を下回るまで低下した場合に充電を停止するように構成してもよい。また、電子回路５１８は、無線ヘッドセットの存在を検出して充電を開始するように構成してもよい。この場合、ヘッドセットがけ検出されなければ、たとえドッキングステーション５１０が携帯電話に結合されても、ピン５１６に電力を提供しない（たとえば、三値論理回路又は他の適切な電力切断回路を用いて）ようにする。
【００３３】
ドッキングステーション５１０は、さらに、充電の状態を示すインジケータを含んでもよい。充電の状態は、たとえば、充電が進行中であること、充電が完了したこと、充電が中断されたこと（上述した閾値に達した場合など）の少なくとも一つ以上を含み得る。インジケータは、たとえば、種々の状態を表すために、異なる色、異なる発光強度レベル、及び／又は異なる発光シーケンスを提供するＬＥＤ（発光ダイオード）により実施され得る。
【００３４】
図６は、本発明の一つ以上の実施形態に従った、無線ヘッドセット６２０を充電するためのシガレットライター充電器６１０を示す。シガレットライター充電器６１０は、電力を得るために、たとえば自動車に備え付けられているシガレットライター電力ポートに差し込むように構成されたプラグ端部６１５を含む。
【００３５】
シガレットライター充電器６１０は、さらに、携帯電話６００のインターフェース６０２に電気的に結合するよう構成されたコネクタ６１２を含む。プラグ端部６１５がシガレットライター電力ポートに差し込まれ、コネクタ６１２がインターフェース６０２に結合された場合、携帯電話６００は、コネクタ６１２の導電部を通してシガレットライター電力ポートから受け取った電力でもって充電されることになる。
【００３６】
さらに、シガレットライター充電器６１０は、アクセサリ充電ポート６１８を含む。アクセサリ充電ポート６１８は、無線ヘッドセット６２０の少なくとも一部を機械的に受容しサポートする。シガレットライター充電器６１０は、アクセサリ充電ポート６１８の内部に、無線ヘッドセット６２０に電力を提供するためにピン６２３と電気的に結合する充電ピン６１３を含む。無線ヘッドセット６２０がアクセサリ充電ポート６１８に差し込まれ、プラグ端部６１５がシガレットライター電力ポートに差し込まれると、無線ヘッドセット６２０は充電のためにシガレットライター電力ポートから電力を受け取ることになる。これに代えて、もしくはこれに加えて、シガレットライター充電器６１０とヘッドセット６２０との間の電力結合には、たとえば電磁結合のような、導電性のピンによる機械的な接触を用いない充電手法が用いられてもよい。
【００３７】
本発明の一つ以上の実施形態によれば、シガレットライター充電器６１０はさらに、調節回路（regulation circuitry）を含む。調節回路は、シガレットライター電力ポートからの電力が無線ヘッドセット６２０及び携帯電話６００によって受け取られる前に、それぞれに出力調整を実行する。調節回路は、また、携帯電話６００からの電力が無線ヘッドセット６２０によって受け取られる前に電力調整を実行するようにしてもよい。
【００３８】
以上から理解されるように、本発明の実施形態は、無線ヘッドセットのような電子アクセサリを充電するための便利な構成を提供する。本発明の一つ以上の実施形態に従ったドッキングステーションを介して、無線ヘッドセットはそれと対で使用される携帯電話が存在し充電されている限り、充電可能となる。無線ヘッドセット単独では使用できないので、無線ヘッドセットを充電したいときには、通常、ユーザは対となる携帯電話を持っていることになる。ユーザは、無線ヘッドセットの充電のために、壁面コンセントあるいはＵＳＢホストデバイスの近くであることはもはや要求されない。
【００３９】
さらに、一つの携帯電話用の充電器があればよく、ユーザは、追加的なヘッドセット用の充電器を所持する必要はない。よって、無線ヘッドセットの停止時間を最小にすることができる。本発明の一つ以上の実施形態は、さらに、無線ヘッドセットと携帯電話の両方を動作させるための、それらの間の充電時における最適な配置を可能にする。無線ヘッドセットは携帯電話なしでは使用できないし、たとえば自動車の運転中では、ハンズフリーデバイスの利用なしで携帯電話を使用することは禁じられている。よって、実施形態の上記構成は無線ヘッドセットと携帯電話の両方の使い勝手を最大にする。また、本発明の一つ以上の実施形態は、無線ヘッドセットのための安全で便利な格納を提供する。よって、無線ヘッドセットは、潜在的なダメージや紛失から保護され、電話を受けたりかけたりするときに容易に利用可能となる。
【００４０】
以上、いくつかの実施形態により本発明を説明したが、本発明の範囲内で変更、置換、等価物がある。また、本発明の方法及び装置を実現するための多くの代替的な方法があることに注意すべきである。要約書は、利便性のために提供されているものであり、本発明を説明または限定するために用いられることを意図したものではない。したがって、以下に添付される特許請求の範囲は、本発明の真の精神及び範囲に入る、すべてのそのような変更、置換及び等価物を含むとして解釈されることを意図している。
【図１Ａ】
0005396558.tif 000002
【図１Ｂ】
0005396558.tif 000003
【図１Ｃ】
0005396558.tif 000004
【図２】
0005396558.tif 000005
【図３】
0005396558.tif 000006
【図４】
0005396558.tif 000007
【図５】
0005396558.tif 000008
【図６】
0005396558.tif 000009